(57)【要約】【課題】安全性を向上させること。【解決手段】偏光子１２１は、ＬＤ１０１から出射された光のうちの第１偏光方向の光を通過させる。ファラデー回転子１２２は、偏光子１２１を通過した光の偏光面を磁界に応じて回転させる。偏光子１２３は、ファラデー回転子１２２によって偏光面が回転した光のうちの第２偏光方向の光を通過させる。磁石１４１，１４２は、ファラデー回転子１２２に第１磁界をかける第１状態と、ファラデー回転子１２２に第２磁界をかける第２状態と、を切り替え可能である。レセプタクル部１０２には、光伝送媒体３１０を接続可能である。磁石移動用棒１５１，１５２は、レセプタクル部１０２への光伝送媒体３１０の挿抜に連動して磁石１４１，１４２の第１状態と第２状態とを切り替える。【選択図】図１
2013210582.tif 000002
【特許請求の範囲】
【請求項１】
光源から出射された光が通過可能なファラデー回転子を有し、前記ファラデー回転子に第１磁界をかけたときに光を通過させる第１状態になり、前記ファラデー回転子に第１磁界とは異なる第２磁界をかけたときに前記第１状態よりも光の通過量が減少する第２状態になる光アイソレータと、
前記光アイソレータから出射された光が入射される光伝送媒体が接続される接続部と、
前記ファラデー回転子に対して、前記第１磁界と前記第２磁界とを選択的に印加可能な磁界発生部と、
前記光伝送媒体が前記接続部に接続されていない場合に、前記磁界発生部を前記第２状態になるように切り替えることが可能な切替部と、
を備えることを特徴とする光送信器。
【請求項２】
光源から出射された光のうち、第１偏光方向の偏光面を有する光を通過させる第１偏光子と、
前記第１偏光子を通過した光の偏光面を、磁界に応じて回転させるファラデー回転子と、
前記ファラデー回転子によって偏光面が回転した光のうち、前記第１偏光方向と異なる第２偏光方向の光を通過させる第２偏光子と、
前記第２偏光子を通過した光が入射される光伝送媒体を接続可能な接続部と、
前記ファラデー回転子に対して前記第１偏光子を通過した光の偏光面を前記第１偏光方向から前記第２偏光方向まで回転させる第１磁界をかける第１状態と、前記ファラデー回転子に対して前記第１磁界とは異なる第２磁界をかける第２状態と、を切り替え可能な磁界発生部と、
前記光伝送媒体が前記接続部に接続されている場合に前記磁界発生部を前記第１状態にし、前記光伝送媒体が前記接続部に接続されていない場合に前記磁界発生部を前記第２状態にする切替部と、
を備えることを特徴とする光送信器。
【請求項３】
前記第１磁界は、前記ファラデー回転子を光が通過する方向と平行な方向の磁界であり、前記第２磁界は、前記第１磁界と反対方向の磁界であることを特徴とする請求項２に記載の光送信器。
【請求項４】
前記磁界発生部は、前記ファラデー回転子を光が通過する方向と平行に変位可能な第１磁石および第２磁石を含み、
前記第１磁石は、前記ファラデー回転子に近接した場合に前記ファラデー回転子に前記第１磁界をかけ、
前記第２磁石は、前記ファラデー回転子に近接した場合に前記ファラデー回転子に前記第２磁界をかけ、
前記切替部は、前記光伝送媒体が前記接続部に接続されている場合に前記第１磁石を第２磁石よりも前記ファラデー回転子に近接させ、前記光伝送媒体が前記接続部に接続されていない場合に前記第２磁石を前記第１磁石よりも前記ファラデー回転子に近接させることを特徴とする請求項３に記載の光送信器。
【請求項５】
前記磁界発生部は、第１電流が流れると前記ファラデー回転子に前記第１磁界をかけ、前記第１電流と反対方向の第２電流が流れると前記ファラデー回転子に前記第２磁界をかけるコイルであり、
前記切替部は、前記光伝送媒体が前記接続部に接続されている場合に前記コイルに前記第１電流を流し、前記光伝送媒体が前記接続部に接続されていない場合に前記コイルに前記第２電流を流すことを特徴とする請求項３に記載の光送信器。
【請求項６】
前記磁界発生部は、前記ファラデー回転子が近接した場合に前記ファラデー回転子に前記第１磁界をかける第１磁石と、前記ファラデー回転子が近接した場合に前記ファラデー回転子に前記第２磁界をかける第２磁石と、を含み、
前記ファラデー回転子は、前記ファラデー回転子を光が通過する方向と平行に変位可能であり、
前記切替部は、前記光伝送媒体が前記接続部に接続されている場合に前記ファラデー回転子を前記第１磁石に近接させて前記第２磁石から離し、前記光伝送媒体が前記接続部に接続されていない場合に前記ファラデー回転子を前記第１磁石から離して前記第２磁石に近接させることを特徴とする請求項３に記載の光送信器。
【請求項７】
前記第２磁界は、前記第１磁界と強度が異なる磁界であることを特徴とする請求項１に記載の光送信器。
【請求項８】
前記磁界発生部は、前記ファラデー回転子を光が通過する方向と平行に変位可能であり、前記ファラデー回転子に近接した場合に前記ファラデー回転子に前記第１磁界をかけ、前記ファラデー回転子から離れた場合に前記ファラデー回転子に前記第１磁界より強度が小さい前記第２磁界をかける磁石であり、
前記切替部は、前記光伝送媒体が前記接続部に接続されている場合に前記磁石を前記ファラデー回転子に近接させ、前記光伝送媒体が前記接続部に接続されていない場合に前記磁石を前記ファラデー回転子から離すことを特徴とする請求項７に記載の光送信器。
【請求項９】
光源から出射された光を通過させる光ファイバの出射端の光コネクタに、
前記光ファイバを通過した光のうち、第１偏光方向の偏光面を有する光を通過させる第１偏光子と、
前記第１偏光子を通過した光の偏光面を、磁界に応じて回転させるファラデー回転子と、
前記ファラデー回転子によって偏光面が回転した光のうち、前記第１偏光方向と異なる第２偏光方向の光を通過させる第２偏光子と、
前記第２偏光子を通過した光が入射される光伝送媒体を接続可能な接続部と、
前記ファラデー回転子に対して前記第１偏光子を通過した光の偏光面を前記第１偏光方向から前記第２偏光方向まで回転させる第１磁界をかける第１状態と、前記ファラデー回転子に対して前記第１磁界とは異なる第２磁界をかける第２状態と、を切り替え可能な磁界発生部と、
前記光伝送媒体が前記接続部に接続されている場合に前記磁界発生部を前記第１状態にし、前記光伝送媒体が前記接続部に接続されていない場合に前記磁界発生部を前記第２状態にする切替部と、
を備えることを特徴とする光モジュール。
【請求項１０】
光源から出射された光を通過させる光ファイバの出射端の光コネクタにおいて、
前記光ファイバを通過した光が通過可能なファラデー回転子を有し、前記ファラデー回転子に第１磁界をかけたときに光を通過させる第１状態になり、前記ファラデー回転子に第１磁界とは異なる第２磁界をかけたときに前記第１状態よりも光の通過量が減少する第２状態になる光アイソレータと、
前記光アイソレータから出射された光が入射される光伝送媒体が接続される接続部と、
前記ファラデー回転子に対して、前記第１磁界と前記第２磁界とを選択的に印加可能な磁界発生部と、
前記光伝送媒体が前記接続部に接続されていない場合に、前記磁界発生部を前記第２状態になるように切り替える切替部と、
を備えることを特徴とする光コネクタ。
【発明の詳細な説明】
【技術分野】
【０００１】
本発明は、光送信器、光モジュールおよび光コネクタに関する。
【背景技術】
【０００２】
従来、ＴＯＳＡ（Ｔｒａｎｓｍｉｔｔｅｒ  Ｏｐｔｉｃａｌ  ＳｕｂＡｓｓｅｍｂｌｙ：送信光サブアセンブリ）などの光送信器において、ファラデー回転子を用いた光アイソレータが用いられている。たとえば、光アイソレータは、ＬＤ（Ｌａｓｅｒ  Ｄｉｏｄｅ：レーザダイオード）などの光源から出射された光を通過させ、反射光などの戻り光を減衰させるように用いられる。また、ファラデー回転子を用いた光アイソレータにおいて、磁石を可動にして磁界を微調整することにより、使用波長や温度環境によって変動するファラデー回転角を調整する構成が知られている。
【先行技術文献】
【特許文献】
【０００３】
【特許文献１】特開平３−１４０９０４号公報
【発明の概要】
【発明が解決しようとする課題】
【０００４】
しかしながら、上述した従来技術では、光送信器などに光ファイバが接続されていない状態で光源が駆動されると、光源からの光が外部へ出射されて危険であるという問題がある。
【０００５】
本発明は、上述した従来技術による問題点を解消するため、安全性を向上させることができる光送信器、光モジュールおよび光コネクタを提供することを目的とする。
【課題を解決するための手段】
【０００６】
上述した課題を解決し、目的を達成するため、本発明の一側面によれば、光源から出射された光が通過可能なファラデー回転子を有し、前記ファラデー回転子に第１磁界をかけたときに光を通過させる第１状態になり、前記ファラデー回転子に第１磁界とは異なる第２磁界をかけたときに前記第１状態よりも光の通過量が減少する第２状態になる光アイソレータと、前記光アイソレータから出射された光が入射される光伝送媒体が接続される接続部と、前記ファラデー回転子に対して、前記第１磁界と前記第２磁界とを選択的に印加可能な磁界発生部と、前記光伝送媒体が前記接続部に接続されていない場合に、前記磁界発生部を前記第２状態になるように切り替えることが可能な切替部と、を備える光送信器、光モジュールおよび光コネクタが提案される。
【発明の効果】
【０００７】
本発明の一側面によれば、安全性を向上させることができるという効果を奏する。
【図面の簡単な説明】
【０００８】
【図１】図１は、実施の形態１にかかる光送信器の構成例を示す断面図（その１）である。
【図２】図２は、図１に示した光送信器の上面図である。
【図３】図３は、実施の形態１にかかる光送信器の構成例を示す断面図（その２）である。
【図４】図４は、図１に示した状態における光送信器の動作の一例を示す図である。
【図５】図５は、図３に示した状態における光送信器の動作の一例を示す図である。
【図６】図６は、実施の形態２にかかる光送信器の構成例を示す断面図（その１）である。
【図７】図７は、実施の形態２にかかる光送信器の構成例を示す断面図（その２）である。
【図８】図８は、実施の形態３にかかる光送信器の構成例を示す断面図（その１）である。
【図９】図９は、実施の形態３にかかる光送信器の構成例を示す断面図（その２）である。
【図１０】図１０は、図８に示した状態における光送信器の動作の一例を示す図である。
【図１１】図１１は、実施の形態４にかかる光コネクタの構成例を示す断面図（その１）である。
【図１２】図１２は、実施の形態４にかかる光コネクタの構成例を示す断面図（その２）である。
【図１３】図１３は、実施の形態５にかかる光コネクタの構成例を示す断面図（その１）である。
【図１４】図１４は、実施の形態５にかかる光コネクタの構成例を示す断面図（その２）である。
【図１５】図１５は、光コネクタの適用例１を示す図である。
【図１６】図１６は、光コネクタの適用例２を示す図である。
【図１７】図１７は、実施の形態６にかかる光送信器の構成例を示す断面図（その１）である。
【図１８】図１８は、実施の形態６にかかる光送信器の構成例を示す断面図（その２）である。
【発明を実施するための形態】
【０００９】
以下に添付図面を参照して、本発明にかかる光送信器、光モジュールおよび光コネクタの実施の形態を詳細に説明する。
【００１０】
（実施の形態１）
図１は、実施の形態１にかかる光送信器の構成例を示す断面図（その１）である。図２は、図１に示した光送信器の上面図である。図１および図２に示す光送信器１００は、光ファイバなどの光伝送媒体を挿抜可能な挿入口であるレセプタクル部１０２を有し、レセプタクル部１０２へ挿入された光伝送媒体に対して光を送出するレセプタクルタイプの光送信器である。図２は、図１に示した光送信器１００を、光送信器１００の光の出射方向からみた上面図である。なお、レセプタクル部１０２には、ＬＣタイプ、ＳＣタイプ、ＭＵタイプ、ＦＣタイプなどの各種のタイプの構造を適用することができる。
【００１１】
実施の形態１にかかる光送信器１００は、筐体１１０と、偏光子１２１と、ファラデー回転子１２２と、偏光子１２３と、内蔵フェルール１３０と、磁石１４１，１４２と、磁石移動用棒１５１，１５２と、バネ１６１，１６２と、スリーブ１７１と、スリーブケース１７２と、を備えている。
【００１２】
筐体１１０の内部にはＬＤ１０１が設けられている。ＬＤ１０１は、光（たとえばレーザ光）を発振して出射する光源である。筐体１１０には、ＬＤ１０１から出射された光を筐体１１０の外部へ出射する出射口が設けられている。また、筐体１１０には、筐体１１０の外側にバネ１６１，１６２を収納する収納部１１２が設けられている。
【００１３】
ＬＤ１０１から出射された光は偏光子１２１へ入射される。偏光子１２１は、光から特定の直線偏光成分を取り出す機能を有する素子である（偏光子１２３も同様）。偏光子１２１は、入射した光のうちの特定の偏光方向（第１偏光方向）の光を通過させる。本明細書では、説明の便宜上、当該偏光子のことを第１偏光子という。偏光子１２１を通過した光はファラデー回転子１２２へ入射される。
【００１４】
ファラデー回転子１２２は、偏光子１２１から出射された光の偏光面（偏光方向）を、ファラデー回転子１２２にかかる磁界の方向に応じて回転させる。ファラデー回転子１２２は、偏光面を回転させ、その回転させた光を偏光子１２３へ出射する。ファラデー回転子１２２としては、たとえばガーネットを用いることができる。
【００１５】
偏光子１２３には、ファラデー回転子１２２から出射された光が入射され、偏光子１２３は、当該入射光のうち、特定の偏光方向（第２偏光方向）の光を通過させる。本明細書では、説明の便宜上、当該偏光子のことを第２偏光子という。偏光子１２３が光を通過させる偏光方向は、偏光子１２１が光を通過させる偏光方向に対してたとえば＋４５［°］だけ異なる。偏光子１２３を通過した光は内蔵フェルール１３０の光ファイバ１３１へ出射される。
【００１６】
偏光子１２１、ファラデー回転子１２２および偏光子１２３は、たとえば一体的に構成されており、たとえば筐体１１０または内蔵フェルール１３０に対して固定されている。内蔵フェルール１３０は、たとえばスリーブ１７１に対して固定されている。光ファイバ１３１は、内蔵フェルール１３０の内部に固定されている。光ファイバ１３１は、偏光子１２３から出射された光を通過させて光送信器１００の外部へ出射する。
【００１７】
磁石１４１，１４２のそれぞれは、開口を有する筒状の磁石であり、該開口部分は、偏光子１２１または光ファイバ１３１の一部が挿入可能な形状を有している。また、磁石１４１，１４２は、磁石移動用棒１５１，１５２に保持されており、磁石移動用棒１５１，１５２の移動にともなって、ＬＤ１０１からの光の通過方向と平行な方向に変位可能な磁界発生部である。磁石移動用棒１５１，１５２は、磁石１４１，１４２を保持しつつ、レセプタクル部１０２への光伝送媒体３１０の挿抜に連動して変位する保持部材である。
【００１８】
磁石１４１は、ＬＤ１０１の側がＮ極となっており、レセプタクル部１０２の側がＳ極となっている。本明細書では、説明の便宜上、磁石１４１のことを第２磁石という。磁石１４１は、ファラデー回転子１２２に近接した場合に、ＬＤ１０１からの光の通過方向の磁界（第１磁界）をかける。磁石１４２は、ＬＤ１０１の側がＳ極となっており、レセプタクル部１０２の側がＮ極となっている。本明細書では、説明の便宜上、磁石１４２のことを第１磁石という。磁石１４２は、ファラデー回転子１２２に近接した場合に、ＬＤ１０１からの光の通過方向とは反対方向の磁界（第２磁界）をかける。
【００１９】
また、磁石１４１と収納部１１２の底面との間にはバネ１６１，１６２が設けられている。これにより、図１に示す状態においては、磁石１４１，１４２は、磁石１４１がファラデー回転子１２２を囲むように位置している。このため、ファラデー回転子１２２に近接した磁石１４１によって、ファラデー回転子１２２に対して、ＬＤ１０１からの光の通過方向に磁界がかかる。
【００２０】
スリーブ１７１は、偏光子１２１、ファラデー回転子１２２、偏光子１２３、光ファイバ１３１、磁石１４１，１４２、磁石移動用棒１５１，１５２を囲む筒状の部材である。スリーブケース１７２は、スリーブ１７１を囲む筒状のケースである。内蔵フェルール１３０およびスリーブ１７１によって囲まれる空間がレセプタクル部１０２となる。
【００２１】
図３は、実施の形態１にかかる光送信器の構成例を示す断面図（その２）である。図３において、図１に示した部分と同様の部分については同一の符号を付して説明を省略する。図３に示す状態においては、光送信器１００のレセプタクル部１０２に対して光伝送媒体３１０が挿入されている。光伝送媒体３１０は、光ファイバ３１２によって光を伝送する光伝送媒体である。フェルール３１１は、光伝送媒体３１０の端部のフェルールである。光ファイバ３１２は、フェルール３１１に固定された光ファイバである。
【００２２】
レセプタクル部１０２への光伝送媒体３１０の挿入により、光伝送媒体３１０によって磁石移動用棒１５１，１５２がＬＤ１０１の側へ押し込まれる。その結果、磁石１４１，１４２は、磁石１４２がファラデー回転子１２２を囲むように位置している。このため、磁石１４２によって、ファラデー回転子１２２に対して、ＬＤ１０１からの光の通過方向と反対方向に磁界がかかる。
【００２３】
また、磁石１４１は収納部１１２に押し込まれている。これにより、バネ１６１，１６２が収縮し、磁石１４１，１４２および磁石移動用棒１５１，１５２はＬＤ１０１とは反対側に付勢されている。このため、レセプタクル部１０２から光伝送媒体３１０が抜去されると、バネ１６１，１６２が伸長し、図１に示した状態に戻る。
【００２４】
このように、磁石移動用棒１５１，１５２（切替部）は、光伝送媒体３１０がレセプタクル部１０２に接続されている場合に磁石１４２をファラデー回転子１２２に近接させて磁石１４１をファラデー回転子１２２から離す（たとえば図３参照）第１状態とする。また、磁石移動用棒１５１，１５２は、光伝送媒体３１０がレセプタクル部１０２に接続されていない場合に磁石１４２をファラデー回転子１２２から離して磁石１４１をファラデー回転子１２２に近接させる第２状態（たとえば図１参照）とする。
【００２５】
図４は、図１に示した状態における光送信器の動作の一例を示す図である。図４において、図１に示した部分と同様の部分については同一の符号を付して説明を省略する。偏光方向４１１は、偏光子１２１が光を通過させる偏光方向（第１偏光方向）を示している。偏光子１２１は、ＬＤ１０１から出射された光のうちの偏光方向４１１の光を通過させてファラデー回転子１２２へ出射する。偏光方向４１２は、ファラデー回転子１２２へ出射される光の偏光方向を示している。
【００２６】
なお、ＬＤ１０１が直線偏光の光を出射する場合は、ＬＤ１０１が出射する光の偏光方向が偏光方向４１２と一致するように設計することにより、ＬＤ１０１からの光の偏光子１２１における損失を抑えることができる。
【００２７】
磁界方向４２１は、ファラデー回転子１２２にかかる磁界の方向を示している。図１に示した状態においては、レセプタクル部１０２に対して光伝送媒体３１０が挿入されていないため、磁石１４１がファラデー回転子１２２に近接している。
【００２８】
したがって、磁界方向４２１に示すように、ファラデー回転子１２２には、ＬＤ１０１からの光の通過方向に磁界がかかる。このため、ファラデー回転子１２２は、偏光子１２１から入射した光の偏光面を−４５［°］だけ回転させる。偏光方向４２２は、偏光子１２３へ出射される光の方向を示している。
【００２９】
偏光方向４３１は、偏光子１２３が光を通過させる偏光方向（第２偏光方向）を示している。偏光子１２３は、ファラデー回転子１２２から出射された光のうちの偏光方向４３１の光を通過させて内蔵フェルール１３０（たとえば図１参照）へ出射する。図４に示す例では、偏光子１２３へ入射される光の偏光方向４２２は、偏光子１２３が光を通過させる偏光方向４３１に対して直交している。
【００３０】
このため、内蔵フェルール１３０への光の出射をほぼ遮断することができる。このように、レセプタクル部１０２に対して光伝送媒体３１０が挿入されていない場合には、ＬＤ１０１から光が出射されたとしても光の漏出量を抑えることができる。
【００３１】
したがって、たとえばボードには搭載されているが実際には使っていない場合や、搭載の作業を行っている最中などに、レセプタクル部１０２に光伝送媒体３１０が挿入されていない状態でＬＤ１０１が駆動されたとしても、光の漏出量を抑えることができる。これにより、たとえば、ＬＤ１０１からの光による人体（たとえば目や皮膚）へ有害な影響を抑えることができる。また、ＬＤ１０１からの光によって外部の物体を焦がしたり燃やしたりすることを回避することができる。このため、安全性を向上させることができる。
【００３２】
図５は、図３に示した状態における光送信器の動作の一例を示す図である。図５において、図４に示した部分と同様の部分については同一の符号を付して説明を省略する。図３に示した状態においては、レセプタクル部１０２に対して光伝送媒体３１０が挿入されているため、磁石１４２がファラデー回転子１２２に近接している。
【００３３】
したがって、磁界方向４２１に示すように、ファラデー回転子１２２には、ＬＤ１０１からの光の通過方向と反対方向に磁界がかかる。このため、ファラデー回転子１２２は、偏光子１２１から入射した光の偏光面を＋４５［°］だけ回転させる。
【００３４】
図５に示す例では、偏光子１２３へ入射される光の偏光方向４２２は、偏光子１２３が光を通過させる偏光方向４３１と一致している。このため、ファラデー回転子１２２から出射された光をほぼ減衰させずに内蔵フェルール１３０へ出射することができる。このように、図３に示したようにレセプタクル部１０２に対して光伝送媒体３１０が挿入されている場合には、ＬＤ１０１から出射された光をほぼ減衰させずに内蔵フェルール１３０へ出射することができる。
【００３５】
また、光伝送媒体３１０の側から偏光子１２３へ入射した光（たとえば反射光）は、偏光子１２３によって偏光方向４２２の光がファラデー回転子１２２へ入射される。そして、偏光子１２３からファラデー回転子１２２へ入射した光は、ファラデー回転子１２２によって偏光面が＋４５［°］だけ回転して偏光子１２１へ入射される。このため、ファラデー回転子１２２から偏光子１２１へ入射した光の偏光方向は偏光方向４１１に対して直交するため、偏光子１２１によってほぼ遮断される。
【００３６】
このように、レセプタクル部１０２に対して光伝送媒体３１０が挿入されている場合に、すなわち光送信器１００の動作時には、偏光子１２１、ファラデー回転子１２２および偏光子１２３は光アイソレータとして動作する。これにより、ＬＤ１０１から光伝送媒体３１０への光は通過させるが、光伝送媒体３１０からＬＤ１０１への光は通過させないようにすることができる。
【００３７】
以上のように、実施の形態１によれば、レセプタクル部１０２に対して光伝送媒体３１０が挿入されている場合には、偏光子１２１、ファラデー回転子１２２および偏光子１２３は光アイソレータとして動作する。さらに、レセプタクル部１０２に対して光伝送媒体３１０が挿入されていない場合には、ＬＤ１０１から光が出射されたとしても光の漏出量を抑えることができる。
【００３８】
また、レセプタクル部１０２から光伝送媒体３１０を抜かれる動作では、光伝送媒体３１０がレセプタクル部１０２から離れるように光伝送媒体３１０の位置が変化するにつれて、当該変化に連動して光の漏出量が小さくなる方向に状態が変化し始める。そのため、レセプタクル部１０２から光伝送媒体３１０が完全に抜かれる前から、光の漏出を抑え込むことができる。その結果、レセプタクル部１０２からの光の漏出によって、人体へ作用する有害な影響を確実に抑えることが可能になる。
【００３９】
（実施の形態２）
図６は、実施の形態２にかかる光送信器の構成例を示す断面図（その１）である。図６において、図１〜図３に示した部分と同様の部分については同一の符号を付して説明を省略する。図６に示すように、実施の形態２にかかる光送信器１００は、筐体１１０と、偏光子１２１と、ファラデー回転子１２２と、偏光子１２３と、内蔵フェルール１３０と、スリーブ１７１と、スリーブケース１７２と、コイル６１０と、挿入検出部６２０と、電気回路部６３０と、を備えている。
【００４０】
偏光子１２１、ファラデー回転子１２２および偏光子１２３は、たとえば筐体１１０または内蔵フェルール１３０に対して固定されている。コイル６１０は、電気回路部６３０によって電流が流れるとファラデー回転子１２２に磁界をかける磁界発生部である。コイル６１０は、たとえば、ファラデー回転子１２２を囲むように電線を螺旋状に形成することによって実現することができる。
【００４１】
挿入検出部６２０は、レセプタクル部１０２への光伝送媒体３１０（たとえば図７参照）の挿入の有無を検出する。挿入検出部６２０は、検出結果を示す信号を電気回路部６３０へ出力する。挿入検出部６２０には、各種のセンサを用いることができる。たとえば、挿入検出部６２０は、スリーブ１７１の内側に当たる光（たとえば自然光）を受光するＰＤ（Ｐｈｏｔｏ  Ｄｅｔｅｃｔｏｒ）によって実現することができる。スリーブ１７１の内側に当たる光は、レセプタクル部１０２に光伝送媒体３１０が挿入されると遮断されるため、ＰＤによって光伝送媒体３１０の挿入の有無を検出することができる。または、挿入検出部６２０は、レセプタクル部１０２への光伝送媒体３１０の挿入によって押し込まれる機械的なスイッチなどによって実現してもよい。
【００４２】
電気回路部６３０は、コイル６１０に電流を流す電源回路である。また、電気回路部６３０は、挿入検出部６２０から出力される信号（検出結果）に基づいて、コイル６１０に流す電流の方向を切り替える。電気回路部６３０は、各種のアナログ回路やデジタル回路を用いて実現することができる。
【００４３】
電気回路部６３０は、具体的には、レセプタクル部１０２に光伝送媒体３１０が挿入されていない場合は、ＬＤ１０１からの光の通過方向の磁界がファラデー回転子１２２にかかるようにコイル６１０に電流を流す。また、電気回路部６３０は、レセプタクル部１０２に光伝送媒体３１０が挿入されている場合は、ＬＤ１０１からの光の通過方向と反対方向の磁界がファラデー回転子１２２にかかるようにコイル６１０に電流を流す。
【００４４】
図６に示す例では、レセプタクル部１０２に光伝送媒体３１０が挿入されていないため、電気回路部６３０は、ＬＤ１０１からの光の通過方向の磁界がファラデー回転子１２２にかかるようにコイル６１０に電流（第２電流）を流す。たとえば、電気回路部６３０は、コイル６１０のＬＤ１０１の側の端部６１１から、コイル６１０のレセプタクル部１０２の側の端部６１２へ電流を流す。これにより、光送信器１００の動作は図４に示した動作と同様になり、レセプタクル部１０２からの光の漏出を抑えることができる。
【００４５】
図７は、実施の形態２にかかる光送信器の構成例を示す断面図（その２）である。図７において、図６に示した部分と同様の部分については同一の符号を付して説明を省略する。図７に示す例では、レセプタクル部１０２に光伝送媒体３１０が挿入されているため、電気回路部６３０は、ＬＤ１０１からの光の通過方向と反対方向の磁界がファラデー回転子１２２にかかるようにコイル６１０に電流（第１電流）を流す。
【００４６】
図７に示す例では、電気回路部６３０は、コイル６１０のレセプタクル部１０２の側の端部６１２から、コイル６１０のＬＤ１０１の側の端部６１１へ電流を流す。これにより、光送信器１００の動作は図５に示した動作と同様になり、ＬＤ１０１からの光を光ファイバ３１２へ入射するとともに、光ファイバ３１２の側からのＬＤ１０１への光をほぼ遮断することができる。
【００４７】
なお、電気回路部６３０がコイル６１０に流す電流の方向を切り替える構成について説明したが、電気回路部６３０は、コイル６１０に流す電流の大きさを切り替えてもよい。たとえば、電気回路部６３０は、レセプタクル部１０２に光伝送媒体３１０が挿入されていない場合に、レセプタクル部１０２に光伝送媒体３１０が挿入されている場合よりも小さい電流（第２電流）をコイル６１０に流すようにしてもよい。
【００４８】
たとえば、電気回路部６３０は、レセプタクル部１０２に光伝送媒体３１０が挿入されていない場合に、コイル６１０に流す電流をゼロにする。これにより、レセプタクル部１０２に光伝送媒体３１０が挿入されていない場合は、ファラデー回転子１２２に対して磁界がほとんどかからない。この場合の動作は後述の図１０の動作と同様になり、ファラデー回転子１２２から出射された光を約３［ｄＢ］減衰させて出射することができる。
【００４９】
（実施の形態３）
図８は、実施の形態３にかかる光送信器の構成例を示す断面図（その１）である。図８において、図１〜図３に示した部分と同様の部分については同一の符号を付して説明を省略する。図８に示すように、光送信器１００は、図１〜図３に示した構成において、磁石１４１を省いた構成としてもよい。この場合は、筐体１１０に収納部１１２を設けなくてもよい。バネ１６１，１６２は、筐体１１０の上面と磁石１４２との間に設けられる。
【００５０】
図８に示す状態においては、レセプタクル部１０２に光伝送媒体３１０が挿入されていないため、磁石１４２がファラデー回転子１２２から離れている。このため、ファラデー回転子１２２にかかる磁界の強度が小さくなる（第２磁界）。
【００５１】
図９は、実施の形態３にかかる光送信器の構成例を示す断面図（その２）である。図９において、図８に示した部分と同様の部分については同一の符号を付して説明を省略する。図９に示す状態においては、レセプタクル部１０２に光伝送媒体３１０が挿入されているため、磁石１４２がファラデー回転子１２２に近接している。このため、磁石１４２によって、ファラデー回転子１２２に対して、ＬＤ１０１からの光の通過方向と反対方向に磁界がかかる（第１磁界）。
【００５２】
図１０は、図８に示した状態における光送信器の動作の一例を示す図である。図１０において、図４，図５に示した部分と同様の部分については同一の符号を付して説明を省略する。図８に示した状態においては、レセプタクル部１０２に対して光伝送媒体３１０が挿入されていないため、ファラデー回転子１２２が磁石１４２から離れている。
【００５３】
したがって、ファラデー回転子１２２に対して磁界がほとんどかからない。このため、ファラデー回転子１２２は、偏光子１２１から入射した光の偏光面をほとんど回転させない（ここでは回転量ゼロとする。）。この結果、偏光子１２３へ入射される光の偏光方向４２２は、偏光子１２３が光を通過させる偏光方向４３１に対して４５［°］ずれている。
【００５４】
このため、ファラデー回転子１２２から出射された光を約３［ｄＢ］減衰させて内蔵フェルール１３０へ出射することができる。このように、図８に示したようにレセプタクル部１０２に対して光伝送媒体３１０が挿入されていない場合には、ＬＤ１０１から出射された光を減衰させて出射し、光の漏出量を抑えることができる。このため、人体や外部の物体への影響を抑え、安全性を向上させることができる。
【００５５】
図９に示した状態の光送信器１００の動作は、図５に示した動作と同様になり、ＬＤ１０１からの光を光ファイバ３１２へ入射するとともに、光ファイバ３１２の側からのＬＤ１０１への光をほぼ遮断することができる。
【００５６】
以上のように、実施の形態３によれば、レセプタクル部１０２に対して光伝送媒体３１０が挿入されている場合には、偏光子１２１、ファラデー回転子１２２および偏光子１２３は光アイソレータとして動作する。さらに、レセプタクル部１０２に対して光伝送媒体３１０が挿入されていない場合には、ＬＤ１０１から光が出射されたとしても光の漏出量を抑えることができる。
【００５７】
また、レセプタクル部１０２から光伝送媒体３１０を抜かれる動作では、光伝送媒体３１０がレセプタクル部１０２から離れるように光伝送媒体３１０の位置が変化するにつれて、当該変化に連動して光の漏出量が小さくなる方向に状態が変化し始める。そのため、レセプタクル部１０２から光伝送媒体３１０が完全に抜かれる前から、光の漏出を抑え込むことができる。その結果、レセプタクル部１０２からの光の漏出によって、人体へ作用する有害な影響を確実に抑えることが可能になる。
【００５８】
（実施の形態４）
図１１は、実施の形態４にかかる光コネクタの構成例を示す断面図（その１）である。図１１において、図１〜図３に示した部分と同様の部分については同一の符号を付して説明を省略する。実施の形態４にかかる光コネクタ１１００は、光伝送媒体３１０（たとえば図１２参照）と、光伝送媒体１１１０と、を接続する光コネクタである。
【００５９】
図１１に示すように、光コネクタ１１００は、偏光子１２１と、ファラデー回転子１２２と、偏光子１２３と、内蔵フェルール１３０と、磁石１４１，１４２と、磁石移動用棒１５１，１５２と、バネ１６１，１６２と、スリーブ１７１と、スリーブケース１７２と、内蔵フェルール１１２０と、を備えている。
【００６０】
フェルール１１１１は、光伝送媒体１１１０の端部のフェルールである。フェルール１１１１は、スリーブ１７１に対して固定されている。光ファイバ１１１２は、フェルール１１１１の内部に固定されている。光ファイバ１１１２は、光コネクタ１１００の外部からの光を通過させて光ファイバ１１２１へ出射する。
【００６１】
内蔵フェルール１１２０は、たとえばフェルール１１１１に対して固定されている。光ファイバ１１２１は、内蔵フェルール１１２０の内部に固定されている。光ファイバ１１２１は、光ファイバ１１１２から出射された光を通過させて偏光子１２１へ出射する。バネ１６１，１６２は、磁石１４１とフェルール１１１１との間に設けられている。
【００６２】
図１１に示す状態においては、レセプタクル部１０２に光伝送媒体３１０が挿入されていないため、磁石１４１がファラデー回転子１２２に近接している。このため、磁石１４１によって、ファラデー回転子１２２に対して、ＬＤ１０１からの光の通過方向に磁界がかかる。これにより、光コネクタ１１００の動作は図４に示した動作と同様になり、レセプタクル部１０２からの光の漏出を抑えることができる。
【００６３】
なお、光コネクタ１１００と光伝送媒体１１１０との接続部には、ＬＣタイプ、ＳＣタイプ、ＭＵタイプ、ＦＣタイプなどの各種のタイプの構造を適用することができる。
【００６４】
図１２は、実施の形態４にかかる光コネクタの構成例を示す断面図（その２）である。図１２において、図１１に示した部分と同様の部分については同一の符号を付して説明を省略する。図１２に示す状態においては、レセプタクル部１０２に光伝送媒体３１０が挿入されているため、磁石１４２がファラデー回転子１２２に近接している。
【００６５】
このため、磁石１４２によって、ファラデー回転子１２２に対して、ＬＤ１０１からの光の通過方向と反対方向に磁界がかかる。これにより、光コネクタ１１００の動作は図５に示した動作と同様になり、光ファイバ１１１２からの光を光ファイバ３１２へ入射するとともに、光ファイバ３１２の側からの光ファイバ１１１２への光をほぼ遮断することができる。
【００６６】
以上のように、実施の形態４によれば、レセプタクル部１０２に対して光伝送媒体３１０が挿入されている場合には、偏光子１２１、ファラデー回転子１２２および偏光子１２３は光アイソレータとして動作する。さらに、レセプタクル部１０２に対して光伝送媒体３１０が挿入されていない場合には、光ファイバ３１２の側からの光ファイバ１１１２への光をほぼ遮断し、光の漏出量を抑えることができる。
【００６７】
また、レセプタクル部１０２から光伝送媒体３１０を抜かれる動作では、光伝送媒体３１０がレセプタクル部１０２から離れるように光伝送媒体３１０の位置が変化するにつれて、当該変化に連動して光の漏出量が小さくなる方向に状態が変化し始める。そのため、レセプタクル部１０２から光伝送媒体３１０が完全に抜かれる前から、光の漏出を抑え込むことができる。その結果、レセプタクル部１０２からの光の漏出によって、人体へ作用する有害な影響を確実に抑えることが可能になる。
【００６８】
（実施の形態５）
図１３は、実施の形態５にかかる光コネクタの構成例を示す断面図（その１）である。図１３において、図１１，図１２に示した部分と同様の部分については同一の符号を付して説明を省略する。図１３に示すように、光送信器１００は、図１１，図１２に示した構成において、磁石１４１を省いた構成としてもよい。この場合は、たとえば、フェルール１１１１がスリーブ１７１に接するように設けられ、バネ１６１，１６２は、フェルール１１１１の上面と磁石１４２との間に設けられる。
【００６９】
図１３に示す状態においては、レセプタクル部１０２に光伝送媒体３１０が挿入されていないため、磁石１４２がファラデー回転子１２２から離れている。このため、ファラデー回転子１２２にかかる磁界の強度が小さくなる。このため、図１３に示した状態の光コネクタ１１００の動作は、図１０に示した動作と同様になり、光ファイバ１１２１から出射された光を約３［ｄＢ］減衰させて内蔵フェルール１３０へ出射することができる。このように、レセプタクル部１０２に対して光伝送媒体３１０が挿入されていない場合には、ＬＤ１０１から出射された光を減衰させて出射することができる。
【００７０】
図１４は、実施の形態５にかかる光コネクタの構成例を示す断面図（その２）である。図１４において、図１３に示した部分と同様の部分については同一の符号を付して説明を省略する。図１４に示す状態においては、レセプタクル部１０２に光伝送媒体３１０が挿入されているため、磁石１４２がファラデー回転子１２２に近接している。
【００７１】
このため、磁石１４２によって、ファラデー回転子１２２に対して、ＬＤ１０１からの光の通過方向と反対方向に磁界がかかる。したがって、図１４に示した状態の光送信器１００の動作は、図５に示した動作と同様になり、光ファイバ１１２１からの光を光ファイバ３１２へ入射するとともに、光ファイバ３１２の側からの光ファイバ１１２１への光をほぼ遮断することができる。
【００７２】
なお、図１１〜図１４において、それぞれ図１〜３および図８，図９に示した構成を光コネクタ１１００に適用する場合について説明したが、たとえば図６，図７に示した構成を光コネクタ１１００に適用してもよい。
【００７３】
以上のように、実施の形態５によれば、レセプタクル部１０２に対して光伝送媒体３１０が挿入されている場合には、偏光子１２１、ファラデー回転子１２２および偏光子１２３は光アイソレータとして動作する。更に、レセプタクル部１０２に対して光伝送媒体３１０が挿入されていない場合には、光ファイバ３１２の側からの光ファイバ１１１２への光をほぼ遮断し、光の漏出量を抑えることができる。
【００７４】
また、レセプタクル部１０２から光伝送媒体３１０を抜かれる動作では、光伝送媒体３１０がレセプタクル部１０２から離れるように光伝送媒体３１０の位置が変化するにつれて、当該変化に連動して光の漏出量が小さくなる方向に状態が変化し始める。そのため、レセプタクル部１０２から光伝送媒体３１０が完全に抜かれる前から、光の漏出を抑え込むことができる。その結果、レセプタクル部１０２からの光の漏出によって、人体へ作用する有害な影響を確実に抑えることが可能になる。
【００７５】
（光コネクタの適用例）
図１５は、光コネクタの適用例１を示す図である。図１５に示す光モジュール１５００は、光信号発生部１５１０と、光ファイバ１５２０と、光コネクタ１５３０と、を備えている。光モジュール１５００は、光信号発生部１５１０の筐体から光ファイバ１５２０が導出され、光ファイバ１５２０の出射端に光コネクタ１５３０が接続されたピグテールタイプの光モジュールである。
【００７６】
光信号発生部１５１０は、電気回路部１５１１と、ＬＤ１５１２と、を備えている。電気回路部１５１１は、各種のアナログ回路やデジタル回路を用いて実現することができる。ＬＤ１５１２は、電気回路部１５１１からの制御により光信号を出射する。ＬＤ１５１２から出射された光信号は、光ファイバ１５２０を介して光コネクタ１５３０へ出射される。光コネクタ１５３０は、他の光コネクタ１５０１に接続可能な光コネクタである。
【００７７】
光コネクタ１５０１には光ファイバ１５０２が接続されている。光コネクタ１５３０を光コネクタ１５０１によって接続することにより、光ファイバ１５２０から出射された光信号を光ファイバ１５０２へ入射することができる。
【００７８】
上述した光コネクタ１１００（たとえば図１１〜図１４参照）は、たとえば図１５に示す光コネクタ１５３０に適用することができる。この場合は、たとえば図１１〜図１４に示した光伝送媒体１１１０は光ファイバ１５２０に対応する。また、たとえば図１１〜図１４に示した光伝送媒体３１０は光コネクタ１５０１に対応する。
【００７９】
図１１〜図１４に示した光コネクタ１１００を光コネクタ１５３０に適用することにより、光コネクタ１５３０に対して光コネクタ１５０１を接続している場合は、光コネクタ１５３０に光アイソレータの機能をもたせることができる。すなわち、光ファイバ１５２０から出射された光信号を光ファイバ１５０２へ入射させるとともに、光ファイバ１５０２からの光がＬＤ１５１２へ入射されることを回避することができる。
【００８０】
また、光コネクタ１５３０に対して光コネクタ１５０１を接続していない場合は、光ファイバ１５２０から光コネクタ１５３０へ出射された光を遮断し、または減衰させ、光コネクタ１５３０から外部への光の漏出を抑えることができる。
【００８１】
図１６は、光コネクタの適用例２を示す図である。図１６に示す光コネクタアレイ１６００は、光コネクタ１６０１〜１６０６がアレイ状に設けられた光コネクタアレイである。図１１〜図１４に示した光コネクタ１１００は、たとえば図１５に示す光コネクタ１６０１〜１６０６のそれぞれに適用することができる。
【００８２】
（実施の形態６）
図１７は、実施の形態６にかかる光送信器の構成例を示す断面図（その１）である。図１７において、図１〜図３に示した部分と同様の部分については同一の符号を付して説明を省略する。図１７に示すように、実施の形態６にかかる光送信器１００は、筐体１１０と、偏光子１２１と、ファラデー回転子１２２と、偏光子１２３と、内蔵フェルール１３０と、磁石１４１，１４２と、スリーブ１７１と、スリーブケース１７２と、バネ１７１０と、を備えている。磁石１４１，１４２は、スリーブ１７１の内側に固定されている。
【００８３】
偏光子１２１、ファラデー回転子１２２、偏光子１２３および内蔵フェルール１３０は、互いに固定されており、ＬＤ１０１からの光の通過方向に変位可能になっている。したがって、内蔵フェルール１３０は、ファラデー回転子１２２が固定され、レセプタクル部１０２への光伝送媒体３１０の挿抜に連動して変位する保持部材である。
【００８４】
また、偏光子１２１とＬＤ１０１との間にはバネ１７１０が設けられている。バネ１７１０は、ＬＤ１０１から出射されて偏光子１２１へ入射される光を遮らないように設けられる。たとえばバネ１７１０は、ＬＤ１０１から偏光子１２１への光路を囲むように螺旋状に形成されたバネである。磁石１４１，１４２のそれぞれは、たとえば図１に示した構成に対して、Ｎ極とＳ極が逆になっている。
【００８５】
図１７に示す状態においては、レセプタクル部１０２に光伝送媒体３１０が挿入されていないため、ファラデー回転子１２２が磁石１４２に近接している。このため、磁石１４２によって、ファラデー回転子１２２に対して、ＬＤ１０１からの光の通過方向に磁界がかかる。これにより、光コネクタ１１００の動作は図４に示した動作と同様になり、レセプタクル部１０２からの光の漏出を抑えることができる。
【００８６】
図１８は、実施の形態６にかかる光送信器の構成例を示す断面図（その２）である。図１８において、図１７に示した部分と同様の部分については同一の符号を付して説明を省略する。図１８に示す状態においては、レセプタクル部１０２に光伝送媒体３１０が挿入されているため、ファラデー回転子１２２が磁石１４１に近接している。
【００８７】
このため、磁石１４１によって、ファラデー回転子１２２に対して、ＬＤ１０１からの光の通過方向と反対方向に磁界がかかる。これにより、光コネクタ１１００の動作は図５に示した動作と同様になり、ＬＤ１０１からの光を光ファイバ３１２へ入射するとともに、光ファイバ３１２の側からのＬＤ１０１への光をほぼ遮断することができる。
【００８８】
このように、内蔵フェルール１３０およびバネ１７１０（切替部）は、光伝送媒体３１０がレセプタクル部１０２に接続されている場合にファラデー回転子１２２を磁石１４１（第１磁石）に近接させて磁石１４２（第２磁石）から離す。また、内蔵フェルール１３０およびバネ１７１０は、光伝送媒体３１０がレセプタクル部１０２に接続されていない場合にファラデー回転子１２２を磁石１４１から離して磁石１４２に近接させる。
【００８９】
このように、各実施の形態によれば、光伝送媒体３１０がレセプタクル部１０２に接続されている場合に、ＬＤ１０１などの光源からの光を通過させる第１磁界をファラデー回転子１２２にかける第１状態とすることができる。また、光伝送媒体３１０がレセプタクル部１０２に接続されていない場合に、第１磁界とは方向または強度が異なる第２磁界をファラデー回転子１２２にかける第２状態とすることができる。
【００９０】
これにより、光伝送媒体３１０がレセプタクル部１０２に接続されている場合は光アイソレータの機能を実現するとともに、光伝送媒体３１０がレセプタクル部１０２に接続されていない場合は光の漏出を抑えることができる。
【００９１】
また、光伝送媒体３１０が接続されている場合は光アイソレータとして機能する偏光子１２１、ファラデー回転子１２２および偏光子１２３を利用して、光伝送媒体３１０が接続されていない場合の光の漏出を抑えることができる。このため、光伝送媒体３１０が接続されている場合におけるＬＤ１０１から外部への光路への影響を抑えつつ、光伝送媒体３１０が接続されていない場合の光の漏出を抑えることができる。
【００９２】
以上説明したように、光送信器、光モジュールおよび光コネクタによれば、光ファイバが抜かれるとアイソレータ内のファラデー回転子の磁界を切り替えることができる。これにより、光ファイバの非接続時にレーザ光の偏光子の透過量を減らしてレーザ光の漏出を抑え、安全性を向上させることができる。
【００９３】
なお、上述した各実施の形態は、種々の変形が可能である。たとえば、図８，図９に示した構成において、レセプタクル部１０２に対する光伝送媒体３１０の挿抜に応じて磁石１４２を１８０［°］回転させる構成としてもよい。これにより、ファラデー回転子１２２にかかる磁界の方向を切り替えることができるため、たとえば図４，図５に示した動作と同様の動作を実現することができる。
【００９４】
上述した実施の形態に関し、さらに以下の付記を開示する。
【００９５】
（付記１）光源から出射された光が通過可能なファラデー回転子を有し、前記ファラデー回転子に第１磁界をかけたときに光を通過させる第１状態になり、前記ファラデー回転子に第１磁界とは異なる第２磁界をかけたときに前記第１状態よりも光の通過量が減少する第２状態になる光アイソレータと、
前記光アイソレータから出射された光が入射される光伝送媒体が接続される接続部と、
前記ファラデー回転子に対して、前記第１磁界と前記第２磁界とを選択的に印加可能な磁界発生部と、
前記光伝送媒体が前記接続部に接続されていない場合に、前記磁界発生部を前記第２状態になるように切り替えることが可能な切替部と、
を備えることを特徴とする光送信器。
【００９６】
（付記２）光源から出射された光のうち、第１偏光方向の偏光面を有する光を通過させる第１偏光子と、
前記第１偏光子を通過した光の偏光面を、磁界に応じて回転させるファラデー回転子と、
前記ファラデー回転子によって偏光面が回転した光のうち、前記第１偏光方向と異なる第２偏光方向の光を通過させる第２偏光子と、
前記第２偏光子を通過した光が入射される光伝送媒体を接続可能な接続部と、
前記ファラデー回転子に対して前記第１偏光子を通過した光の偏光面を前記第１偏光方向から前記第２偏光方向まで回転させる第１磁界をかける第１状態と、前記ファラデー回転子に対して前記第１磁界とは異なる第２磁界をかける第２状態と、を切り替え可能な磁界発生部と、
前記光伝送媒体が前記接続部に接続されている場合に前記磁界発生部を前記第１状態にし、前記光伝送媒体が前記接続部に接続されていない場合に前記磁界発生部を前記第２状態にする切替部と、
を備えることを特徴とする光送信器。
【００９７】
（付記３）前記第２偏光方向は、前記第１偏光方向に対して４５［°］異なることを特徴とする付記２に記載の光送信器。
【００９８】
（付記４）前記第１磁界は、前記ファラデー回転子を光が通過する方向と平行な方向の磁界であり、前記第２磁界は、前記第１磁界と反対方向の磁界であることを特徴とする付記２に記載の光送信器。
【００９９】
（付記５）前記磁界発生部は、前記ファラデー回転子を光が通過する方向と平行に変位可能な第１磁石および第２磁石を含み、
前記第１磁石は、前記ファラデー回転子に近接した場合に前記ファラデー回転子に前記第１磁界をかけ、
前記第２磁石は、前記ファラデー回転子に近接した場合に前記ファラデー回転子に前記第２磁界をかけ、
前記切替部は、前記光伝送媒体が前記接続部に接続されている場合に前記第１磁石を第２磁石よりも前記ファラデー回転子に近接させ、前記光伝送媒体が前記接続部に接続されていない場合に前記第２磁石を前記第１磁石よりも前記ファラデー回転子に近接させることを特徴とする付記４に記載の光送信器。
【０１００】
（付記６）前記接続部は、前記光伝送媒体を挿抜可能な挿入口であり、
前記切替部は、前記第１磁石および前記第２磁石が固定され、前記接続部への前記光伝送媒体の挿抜に連動して前記第１磁石および前記第２磁石を変位させる保持部材を有することを特徴とする付記５に記載の光送信器。
【０１０１】
（付記７）前記磁界発生部は、第１電流が流れると前記ファラデー回転子に前記第１磁界をかけ、前記第１電流と反対方向の第２電流が流れると前記ファラデー回転子に前記第２磁界をかけるコイルであり、
前記切替部は、前記光伝送媒体が前記接続部に接続されている場合に前記コイルに前記第１電流を流し、前記光伝送媒体が前記接続部に接続されていない場合に前記コイルに前記第２電流を流すことを特徴とする付記４に記載の光送信器。
【０１０２】
（付記８）前記切替部は、前記接続部への前記光伝送媒体の接続の有無を検出する検出部と、前記検出部による検出結果に基づいて前記コイルに流す電流の方向を切り替える電源回路と、を含むことを特徴とする付記７に記載の光送信器。
【０１０３】
（付記９）前記磁界発生部は、前記ファラデー回転子が近接した場合に前記ファラデー回転子に前記第１磁界をかける第１磁石と、前記ファラデー回転子が近接した場合に前記ファラデー回転子に前記第２磁界をかける第２磁石と、を含み、
前記ファラデー回転子は、前記ファラデー回転子を光が通過する方向と平行に変位可能であり、
前記切替部は、前記光伝送媒体が前記接続部に接続されている場合に前記ファラデー回転子を前記第１磁石に近接させて前記第２磁石から離し、前記光伝送媒体が前記接続部に接続されていない場合に前記ファラデー回転子を前記第１磁石から離して前記第２磁石に近接させることを特徴とする付記４に記載の光送信器。
【０１０４】
（付記１０）前記接続部は、前記光伝送媒体を挿抜可能な挿入口であり、
前記切替部は、前記ファラデー回転子を保持しつつ、前記接続部への前記光伝送媒体の挿抜に連動して変位する保持部材であることを特徴とする付記９に記載の光送信器。
【０１０５】
（付記１１）前記第２磁界は、前記第１磁界と強度が異なる磁界であることを特徴とする付記１に記載の光送信器。
【０１０６】
（付記１２）前記磁界発生部は、前記ファラデー回転子を光が通過する方向と平行に変位可能であり、前記ファラデー回転子に近接した場合に前記ファラデー回転子に前記第１磁界をかけ、前記ファラデー回転子から離れた場合に前記ファラデー回転子に前記第１磁界より強度が小さい前記第２磁界をかける磁石であり、
前記切替部は、前記光伝送媒体が前記接続部に接続されている場合に前記磁石を前記ファラデー回転子に近接させ、前記光伝送媒体が前記接続部に接続されていない場合に前記磁石を前記ファラデー回転子から離すことを特徴とする付記１１に記載の光送信器。
【０１０７】
（付記１３）前記磁界発生部は、第１電流が流れると前記ファラデー回転子に前記第１磁界をかけ、前記第１電流より小さい第２電流が流れると前記ファラデー回転子に、前記第１磁界より強度が小さい前記第２磁界をかけるコイルであり、
前記切替部は、前記光伝送媒体が前記接続部に接続されている場合に前記コイルに前記第１電流を流し、前記光伝送媒体が前記接続部に接続されていない場合に前記コイルに前記第２電流を流すことを特徴とする付記１１に記載の光送信器。
【０１０８】
（付記１４）光源から出射された光を通過させる光ファイバの出射端の光コネクタに、
前記光ファイバを通過した光のうち、第１偏光方向の偏光面を有する光を通過させる第１偏光子と、
前記第１偏光子を通過した光の偏光面を、磁界に応じて回転させるファラデー回転子と、
前記ファラデー回転子によって偏光面が回転した光のうち、前記第１偏光方向と異なる第２偏光方向の光を通過させる第２偏光子と、
前記第２偏光子を通過した光が入射される光伝送媒体を接続可能な接続部と、
前記ファラデー回転子に対して前記第１偏光子を通過した光の偏光面を前記第１偏光方向から前記第２偏光方向まで回転させる第１磁界をかける第１状態と、前記ファラデー回転子に対して前記第１磁界とは異なる第２磁界をかける第２状態と、を切り替え可能な磁界発生部と、
前記光伝送媒体が前記接続部に接続されている場合に前記磁界発生部を前記第１状態にし、前記光伝送媒体が前記接続部に接続されていない場合に前記磁界発生部を前記第２状態にする切替部と、
を備えることを特徴とする光モジュール。
【０１０９】
（付記１５）光源から出射された光を通過させる光ファイバの出射端の光コネクタにおいて、
前記光ファイバを通過した光が通過可能なファラデー回転子を有し、前記ファラデー回転子に第１磁界をかけたときに光を通過させる第１状態になり、前記ファラデー回転子に第１磁界とは異なる第２磁界をかけたときに前記第１状態よりも光の通過量が減少する第２状態になる光アイソレータと、
前記光アイソレータから出射された光が入射される光伝送媒体が接続される接続部と、
前記ファラデー回転子に対して、前記第１磁界と前記第２磁界とを選択的に印加可能な磁界発生部と、
前記光伝送媒体が前記接続部に接続されていない場合に、前記磁界発生部を前記第２状態になるように切り替える切替部と、
を備えることを特徴とする光コネクタ。
【符号の説明】
【０１１０】
１００  光送信器
１０１，１５１２  ＬＤ
１０２  レセプタクル部
１１０  筐体
１１２  収納部
１２１，１２３  偏光子
１２２  ファラデー回転子
１３０，１１２０  内蔵フェルール
１３１，３１２，１１１２，１１２１，１５０２，１５２０  光ファイバ
１４１，１４２  磁石
１５１，１５２  磁石移動用棒
１６１，１６２，１７１０  バネ
１７１  スリーブ
１７２  スリーブケース
３１０，１１１０  光伝送媒体
３１１，１１１１  フェルール
４１１，４１２，４２２，４３１  偏光方向
４２１  磁界方向
６１０  コイル
６１１，６１２  端部
６２０  挿入検出部
６３０，１５１１  電気回路部
１１００，１５０１，１５３０，１６０１  光コネクタ
１５００  光モジュール
１５１０  光信号発生部
１６００  光コネクタアレイ
【図１】
2013210582.tif 000003
【図２】
2013210582.tif 000004
【図３】
2013210582.tif 000005
【図４】
2013210582.tif 000006
【図５】
2013210582.tif 000007
【図６】
2013210582.tif 000008
【図７】
2013210582.tif 000009
【図８】
2013210582.tif 000010
【図９】
2013210582.tif 000011
【図１０】
2013210582.tif 000012
【図１１】
2013210582.tif 000013
【図１２】
2013210582.tif 000014
【図１３】
2013210582.tif 000015
【図１４】
2013210582.tif 000016
【図１５】
2013210582.tif 000017
【図１６】
2013210582.tif 000018
【図１７】
2013210582.tif 000019
【図１８】
2013210582.tif 000020